(57)【特許請求の範囲】
【請求項１】
回線を介して電子交換機を接続する多重化装置において、該多重化装置間を中継回線により接続し、前記中継回線の障害発生時に前記回線の閉塞、閉塞解除／復旧を行う回線の閉塞制御方式であって、
前記多重化装置に、前記中継回線間の接続条件を監視し、かつ中継回線の障害・復旧の変化を検出する同期確立監視手段を設け、前記中継回線を介して対向する多重化装置間で周期的にポーリングメッセージを送受し、該ポーリングメッセージの到達状況により前記同期確立監視手段が前記中継回線の異常を認識した時は、前記回線に対して閉塞制御することを特徴とする多重化装置における回線の閉塞制御方式。
【請求項２】
同期確立監視手段が中継回線の障害・復旧を検出した時は、該復旧した中継回線を通して対向する多重化装置間でポーリングメッセージを送受することにより、閉塞された回線に対して閉塞解除制御することを特徴とする請求項１記載の多重化装置における回線の閉塞制御方式。
【請求項３】
前記回線に対する閉塞／閉塞解除の制御は、回線に接続される回線トランクに対しソフト的に設定された閉塞／閉塞解除コマンドであることを特徴とする請求項１または２記載の多重化装置における回線の閉塞制御方式。
【請求項４】
回線を収容する多重化装置において、該多重化装置間を中継回線により接続し、前記中継回線の障害発生時に該多重化装置間をバックアップ回線により接続する回線の閉塞制御方式であって、
前記多重化装置に、前記中継回線間の接続条件を監視し、かつ中継回線の障害・復旧の変化を検出する同期確立監視手段を設け、前記中継回線を介して対向する多重化装置間でポーリングメッセージを送受し、該ポーリングメッセージの到達状況により前記同期確立監視手段が前記中継回線の異常を認識した時は、前記回線に対して閉塞制御し、該中継回線の障害発生により該多重化装置間の接続が前記バックアップ回線に移行すると、該バックアップ回線を介してポーリングメッセージを送受することにより該バックアップ回線の通信が可能であることが認識された時にバックアップ対象の前記回線に対して閉塞解除制御することを特徴とする多重化装置における回線の閉塞制御方式。
【発明の詳細な説明】
【０００１】
【発明の属する技術分野】
本発明は、音声回線／データ回線と制御線を収容する多重化装置(以下、ＴＤＭと称する)における回線の閉塞制御方式に関する。
【０００２】
【従来の技術】
従来のＴＤＭは、音声回線を伝送する方式として音声回線通話帯域と信号線制御を含む同期帯域から構成されている。そして、ＴＤＭは、中継回線障害時に同期帯域より同期はずれを検出し、低速回線に対して閉塞制御を行っている。
【０００３】
図８は、このような従来のＴＤＭの概略構成図を示している。図８において、８０１は図示省略した音声端末等の各種端末を収容するとともに電話網と接続される電子交換機（ＰＢＸ）、８０２は電子交換機８０１に複数の音声回線８０３を介して接続され、音声／データを多重する時分割多重化装置（ＴＤＭ）、８０４は時分割多重化装置８０２に通話回線と同期監視用の中継回線８０５を介して接続された他の時分割多重化装置（ＴＤＭ）である。また、８０６は他の時分割多重化装置８０４に複数の音声回線８０７を介して接続された電子交換機（ＰＢＸ）であり、この電子交換機８０６には図示しない音声端末等の各種端末及び電話網が接続されている。
【０００４】
【発明が解決しようとする課題】
上記のような従来のＴＤＭ方式は、ＰＢＸに接続される音声回線に対し、通話路を確保するための帯域と、丸印で示すＴＤＭ間のエンド−エンド間で通話路が正常に通信可能か否かを認識するための同期監視帯域を有しており、ＰＢＸと接続される音声回線毎に同期監視帯域が必要になる。
【０００５】
本発明は、上記の点に鑑みなされたものであり、音声／データ回線の同期監視をＴＤＭ間の同期監視帯域で行うことにより、帯域を有効利用できる多重化装置における回線の閉塞制御方式を提供することを目的としている。
【０００６】
【課題を解決するための手段】
上記の課題を解決するために本発明の多重化装置における回線の閉塞制御方式は、回線を介して電子交換機を接続する多重化装置において、該多重化装置間を中継回線により接続し、前記中継回線の障害発生時に前記回線の閉塞、閉塞解除／復旧を行う回線の閉塞制御方式であって、前記多重化装置に、前記中継回線間の接続条件を監視し、かつ中継回線の障害・復旧の変化を検出する同期確立監視手段を設け、前記中継回線を介して対向する多重化装置間で周期的にポーリングメッセージを送受し、該ポーリングメッセージの到達状況により前記同期確立監視手段が前記中継回線の異常を認識した時は、前記回線に対して閉塞制御するものである。
【０００７】
本発明によれば、音声／データ回線の同期監視をＴＤＭ間の同期監視帯域で行うことができ、帯域を有効利用することができる。
【０００８】
【発明の実施の形態】
本発明の請求項１に記載の発明は、回線を介して電子交換機を接続する多重化装置において、該多重化装置間を中継回線により接続し、前記中継回線の障害発生時に前記回線の閉塞、閉塞解除／復旧を行う回線の閉塞制御方式であって、前記多重化装置に、前記中継回線間の接続条件を監視し、かつ中継回線の障害・復旧の変化を検出する同期確立監視手段を設け、前記中継回線を介して対向する多重化装置間で周期的にポーリングメッセージを送受し、該ポーリングメッセージの到達状況により前記同期確立監視手段が前記中継回線の異常を認識した時は、前記回線に対して閉塞制御するものであり、音声／データ回線の同期監視をＴＤＭノード間の同期監視帯域で行うことにより、この同期監視状態から回線の閉塞／解除制御をリアルタイムで行うことができ、帯域を有効利用できるという作用を有する。
【０００９】
請求項２に記載の発明は、同期確立監視手段が中継回線の障害・復旧を検出した時は、該復旧した中継回線を通して対向する多重化装置間でポーリングメッセージを送受することにより、閉塞された回線に対して閉塞解除制御するものであり、同期監視状態から音声／データ回線の閉塞／解除制御を行うことができるという作用を有する。
【００１０】
請求項３に記載の発明は、前記回線に対する閉塞／閉塞解除の制御は、回線に接続される回線トランクに対しソフト的に設定された閉塞／閉塞解除コマンドであることを特徴とするものである。
【００１１】
請求項４に記載の発明は、回線を収容する多重化装置において、該多重化装置間を中継回線により接続し、前記中継回線の障害発生時に該多重化装置間をバックアップ回線により接続する回線の閉塞制御方式であって、前記多重化装置に、前記中継回線間の接続条件を監視し、かつ中継回線の障害・復旧の変化を検出する同期確立監視手段を設け、前記中継回線を介して対向する多重化装置間でポーリングメッセージを送受し、該ポーリングメッセージの到達状況により前記同期確立監視手段が前記中継回線の異常を認識した時は、前記回線に対して閉塞制御し、該中継回線の障害発生により該多重化装置間の接続が前記バックアップ回線に移行すると、該バックアップ回線を介してポーリングメッセージを送受することにより該バックアップ回線の通信が可能であることが認識された時にバックアップ対象の前記回線に対して閉塞解除制御するものである。
【００１２】
以下、本発明の実施の形態について、図１〜図７を用いて説明する。
【００１３】
図１は本発明の回線の閉塞制御方式を適用した多重化通信システムの一実施形態の構成を示す概略ブロック図である。図１において、１０１は事業所等に設置される構内用の電子交換機(以下、ＰＢＸと略称する)であり、このＰＢＸ１０１には電話機等の複数の音声端末１００が接続されている。１０４は音声／データを多重化する時分割多重化装置であり、このＴＤＭ１０４とＰＢＸ１０１間は、ＴＤＭ１０４に設けた音声回線トランク１０３を介して音声回線１０２により接続されている。
【００１４】
ＴＤＭ１０４は、該ＴＤＭ１０４内のＴＤＭスイッチにより音声回線トランク１０３と固定的に接続される中継回線トランク１０５、及び同期確立監視トランク１０６を備えている。同期確立監視トランク１０６は、ＴＤＭ１０４の中継回線トランク１０５と対応ノードを構成する他のＴＤＭ１１１の中継回線トランク１１２との間を接続する中継回線１０７間の接続条件を監視し、かつ中継回線１０７の障害・復旧の変化を検出するものである。さらに、ＴＤＭ１０４には、ＴＤＭ１０４全体を制御し管理する中央制御装置（以下、ＣＰＵと略称する）１０８と、ＴＤＭ１０４及び同期確立監視のための制御用データやＣＰＵ１０８での処理データ等を記憶するＴＤＭメモリ（以下、ＭＥＭと略称する）１０９がＴＤＭバス１１０を介して接続されている。
【００１５】
上記対応ノードを構成する他のＴＤＭ１１１は、同様に構成された中継回線トランク１１２、同期確立監視トランク１１３及び音声回線トランク１１４を備えているほか、ＴＤＭバス１１７を介して接続された、上記の同一構成のＣＰＵ１１５及びＭＥＭ１１６を備える。また、ＴＤＭ１１１の音声回線トランク１１４には、音声回線１１８を介してＰＢＸ１１９が接続されており、このＰＢＸ１１
【００１６】
次に、上記のように構成された本実施の形態の動作について、図２ないし図７を参照して説明する。
【００１７】
まず、図２に基づいて、中継回線正常時の中継回線同期監視シーケンス動作について説明する。図２は、ノードＡに相当するＴＤＭ１０４とノードＣに相当するＴＤＭ１１１間にバックアップ用のノードＢに相当するＴＤＭ１２１が介在されている場合の通常時の回線同期状態のシーケンスを示している。
【００１８】
図２において、ＰＢＸ１０１から３回線の音声回線が接続されており、ＴＤＭを構成するノードＡ−ノードＢ−ノードＣを経由して対向ＰＢＸ１１９に３回線が固定的に接続されている。
【００１９】
かかる状態において、図２に示すように、ノードＡはノードＢに対しメッセージにより周期的にポーリングメッセージＢを送出する。この時のポーリングメッセージの構成例を図５（Ａ）に示す。
【００２０】
これに伴いノードＢはノードＡからのポーリングメッセージＢを受信し、中継回線１０７が正常に接続されていることを認識する。この認識は、同期確立監視トランクでの接続条件の監視結果及び中継回線１０７の障害・復旧の検出結果に基づいて行われる。また、ノードＢはノードＡに対しメッセージにより周期的にポーリングメッセージＡを送出し、これに受信したノードＡも中継回線１０７が正常に接続されていることを認識する。
【００２１】
同様にして、ノードＢはノードＣに対しメッセージにより周期的にポーリングメッセージＣを送出する。これに伴いノードＣはノードＢからのポーリングメッセージＣを受信し、中継回線１０７が正常に接続されていることを認識する。この認識は、同期確立監視トランクでの接続条件の監視結果及び中継回線１０７の障害・復旧の検出結果に基づいて行われる。また、ノードＣはノードＢに対しメッセージにより周期的にポーリングメッセージＢを送出し、これに受信したノードＢも中継回線１０７が正常に接続されていることを認識する。
【００２２】
次に、ノードＢとノードＣ間の中継回線１０７に障害が生じた場合の動作について、図３を参照して説明する。
【００２３】
ノードＢとノードＣ間に障害が発生した場合は、ノードＢからのポーリングメッセージＣはノードＣに到達しないため、ノードＣは同期確立監視トランクでの接続条件の監視結果及び障害の検出結果に基づいて中継線１０７に異常があつたことを認識する。また、ノードＣから送出したポーリングメッセージＣもノードＢに到達しないため、ノードＢは同期確立監視トランクでの接続条件の監視結果及び障害の検出結果に基づいて中継線１０７に異常があつたことを認識する。そして、障害を認識したノードＣは、ノードＢ向け中継回線１０７に接続される音声回線１１８に対し閉塞制御を行う。
【００２４】
また、ノードＢでは、ノードＣに接続されるノードＡ向け中継回線１０７に対して、図５（Ｂ）に示す閉塞メッセージを送出し、障害があったことをノードＡに通知する。ノードＡは障害メッセージを受信することにより、ノードＢとノードＣ間の中継回線１０７に障害があったことを認識し、音声回線に対し閉塞制御を行う。
【００２５】
次に、障害の生じたノードＢとノードＣ間の中継回線の復旧シーケンスと音声回線閉塞解除制御について、図４を参照して説明する。
【００２６】
ノードＢとノードＣ間の障害が復旧した場合は、ノードＢからのポーリングメッセージＣはノードＣに到達するため、ノードＣは同期確立監視トランクでの接続条件の監視結果及び障害復旧の検出結果に基づいて中継線１０７が正常に戻ったことを認識する。また、ノードＣから送出したポーリングメッセージＣもノードＢに到達するため、ノードＢは同期確立監視トランクでの接続条件の監視結果及び障害復旧の検出結果を基に中継線１０７に障害が復旧したことを認識する。そして、障害復旧を認識したノードＣは、ノードＢ向け中継回線１０７に接続される音声回線１１８に対し閉塞制御の解除を行う。
【００２７】
また、ノードＢでは、ノードＣに接続されるノードＡ向け中継回線１０７に対して、図５（Ｃ）に示す閉塞解除メッセージを送出し、障害が復旧したことをノードＡに通知する。ノードＡは障害解除メッセージを受信することにより、ノードＢとノードＣ間の中継回線１０７に障害があったことを認識し、音声回線に対し閉塞解除制御を行う。
【００２８】
図５において、ＴＤＭノード間のメッセージは、ポーリング、閉塞、閉塞解除に分類され、ポーリングメッセージはノード間の中継回線の正常性を監視するために周期的に送受信される。また、閉塞／閉塞解除メッセージは、中継回線の正常／異常を対向ノードに通知されるもので、メッセージ内に回線番号を設定して通知する。
【００２９】
次に、中継回線に障害が発生することにより、中継回線がバックアップ回線へ移行し、音声回線が２／４回線に縮帯する場合について、図６を参照して説明する。
【００３０】
図６に示すように、ノードＢとノードＣ間にバックアップ回線１２２が設けられている場合において、音声回線が４回線ＰＢＸに接続されている時、ノードＢ−ノードＣ間の中継回線１０７に障害があると、その障害検出により音声回線１１８は閉塞される。その後、ノードＢとノードＣ間はバックアップ回線１２２へ移行し、ノードＢとノードＣ間でポーリングメッセージＣ、Ｂを送受することにより、バックアップ回線１２２で通信が可能であることを確認する。そして、ノードＣは、バックアップ回線１２２を介してのポーリングメッセージＢをノードＢに送出するとともに、バックアップ対象の音声回線１、２に対し閉塞解除制御を行う。また、ノードＢはノードＡに対してバックアップ対象の音声回線１、２の閉塞解除メッセージ（図５の（Ｃ）を参照）をノードＡに送出する。ノードＡでは、閉塞解除メッセージを受信することにより音声回線１、２の閉塞解除を行う。
【００３１】
次に、ノードにより自立的に音声回線に閉塞／閉塞解除をかける場合の動作について、図７を参照して説明する。
【００３２】
この場合は、ノートＡにおいてＰＢＸ１０１への音声回線に接続される回線トランクに対しソフト的に閉塞を設定した場合、ノードＡに接続される音声回線に対し閉塞コマンドにより閉塞制御を行う。これに伴い、ノードＡはノードＢに対し閉塞コマンドを送出し、ノードＢは対向ノードＣに対し閉塞メッセージをスルーで送出する。この閉塞メッセージを受信したノードＣは音声回線に対し閉塞制御を行う。
【００３３】
また、閉塞解除を設定した場合は、ノードＡに接続される音声回線に対し閉塞解除コマンドにより閉塞制御を行う。これに伴い、ノードＡはノードＢに対し閉塞解除コマンドを送出し、ノードＢは対向ノードＣに対し閉塞解除メッセージをスルーで送出する。この閉塞解除メッセージを受信したノードＣは音声回線に対し閉塞解除を行う。
【００３４】
なお、上記図７に示す実施の形態では、ＰＢＸ１０１に隣接するＴＤＭ１０４から閉塞／閉塞解除する場合について説明したが、これに限らず、いかなる接続のＴＤＭからでも閉塞／閉塞解除制御が可能である。
【００３５】
また、上記の実施の形態では、音声回線の閉塞／閉塞解除制御する場合について説明したが、本発明はこれに限らず、データ回線についても同様に行うことができる。
【００３６】
【発明の効果】
以上のように本発明によれば、音声／データ回線の同期監視をＴＤＭノード間の同期監視帯域で行うことにより、この同期監視状態から音声／データ回線の閉塞／解除制御をリアルタイムで行うことができるとともに、帯域を有効に利用することができる。
【図面の簡単な説明】
【図１】本発明の回線の閉塞制御方式を適用した多重化通信システムの一実施形態の構成を示す概略ブロック図である。
【図２】本発明の実施の形態における中継回線正常時の回線同期監視状態を示すシーケンス図である。
【図３】本発明の実施の形態における中継回線に障害が生じた時の回線同期監視状態を示すシーケンス図である。
【図４】本発明の実施の形態における中継回線に障害が復旧した時の回線同期監視状態を示すシーケンス図である。
【図５】本発明の実施の形態におけるポーリング、閉塞、閉塞解除の各メッセージの構成例を示す説明図である。
【図６】本発明の実施の形態における障害発生中継回線のバックアップ時の音声回線閉塞及び閉塞解除制御を示すシーケンス図である。
【図７】本発明の実施の形態における閉塞、閉塞解除をコマンドにより行う場合を示すシーケンス図である。
【図８】従来におけるＴＤＭの概略構成図である。
【符号の説明】
１００、１２０  音声端末
１０１、１１９  電子交換機(ＰＢＸ)
１０２、１１８  音声回線
１０３、１１４  音声回線トランク
１０４、１１１  ＴＤＭ
１０５、１１２  中継回線トランク
１０６、１１３  同期確立監視トランク
１０７          中継回線
１０８、１１５  ＣＰＵ
１０９、１１６  ＭＥＭ
１１０、１１７  ＴＤＭバス
１２２          バックアップ回線
【図１】
0003609248.tif 000002
【図２】
0003609248.tif 000003
【図３】
0003609248.tif 000004
【図４】
0003609248.tif 000005
【図５】
0003609248.tif 000006
【図６】
0003609248.tif 000007
【図７】
0003609248.tif 000008
【図８】
0003609248.tif 000009